(57)【要約】【課題】端子台付き変圧器を備えた電装品ユニットにおいて、カバー外部への放熱機能の向上を図ると共に、端子台付き変圧器の発熱を伴う異常時に副次的な被害を防止する。【解決手段】第１電装品ユニット（20）は、上部に吹出口が形成された空気調和装置の室外機のケーシング内に設けられている。また、第１電装品ユニット（20）は、箱状の第１スイッチボックス（21）と、第１スイッチボックス（21）の内部に設けられ、変圧器本体（51）に熱可塑性樹脂製の端子台（52）が取り付けられた端子台付き変圧器（50）とを備えている。第１スイッチボックス（21）の底板（23）には放熱用の開口（27）が形成される一方、第１電装品ユニット（20）には、放熱用の開口（27）の上方に位置し、端子台（52）の下方を覆う壁部材（70）が設けられている。【選択図】図４
2009180388.tif 000002
【特許請求の範囲】
【請求項１】
上部に空気流通口（14）が形成された冷凍装置（1）の室外機（2）のケーシング（10）内に設けられ、箱状のカバー（21）と、前記カバー（21）の内部に設けられ、変圧器（51）に熱可塑性樹脂製の端子台（52）が取り付けられた端子台付き変圧器（50）とを少なくとも備えた室外機の電装品ユニットであって、
前記カバー（21）の下面（23）には放熱用の開口（27）が形成される一方、
前記開口（27）の上方に位置して前記端子台（52）の下方を覆う壁部材（70）が設けられている
ことを特徴とする室外機の電装品ユニット。
【請求項２】
請求項１において、
前記壁部材（70）は、前記端子台（52）の下方において水平方向に延び、平面視において前記端子台（52）よりも大きい金属製の板状片（71）によって形成されている
ことを特徴とする室外機の電装品ユニット。
【請求項３】
請求項２において、
前記変圧器（51）には、前記端子台（52）が取り付けられると共に、前記変圧器（51）と前記端子台（52）との間にあって前記変圧器（51）と前記端子台（52）との間に隙間（57）を形成する隔壁（56）が取り付けられている
ことを特徴とする室外機の電装品ユニット。
【請求項４】
請求項３において、
前記板状片（71）は、前記隔壁（56）に設けられている
ことを特徴とする室外機の電装品ユニット。
【請求項５】
請求項４において、
前記隔壁（56）は板金によって形成され、
前記板状片（71）は、前記板金の一部を屈曲させることにより形成される
ことを特徴とする室外機の電装品ユニット。
【発明の詳細な説明】
【技術分野】
【０００１】
本発明は、冷凍装置の室外機内に設けられた電装品ユニットに関し、特に変圧器に熱可塑性樹脂を用いた端子台が取り付けられた端子台付き変圧器を有する電装品ユニットに係るものである。
【背景技術】
【０００２】
従来より、冷凍装置（例えば、空気調和装置等）の室外機のケーシング内部には、圧縮機や熱交換器やファン等が設けられ、さらに、これらの機器を制御するための電装品ユニットが設けられている。電装品ユニットは、圧縮機、送風機等を駆動制御するための種々の電装品と、これらの電装品に雨水が付着しないように該電装品を覆うカバーとを備えている（例えば、特許文献１参照）。
【０００３】
ところで、上記電装品ユニットでは、端子台が取り付けられた変圧器（以下、「端子台付き変圧器」と称する）が組み込まれることがある。そして、このような端子台付き変圧器の中には、端子台が熱可塑性樹脂によって形成されているものがある。このような端子台付き変圧器を用いた場合、例えば、変圧器が絶縁不良により短絡してしまった場合や、端子台の端子間の接続不良等が生じてしまった場合等の発熱を伴う異常時に、端子台の樹脂が熔解してしまう虞がある。そこで、従来より、上記カバーを箱状に形成し、端子台付き変圧器の下方を上記カバーで遮蔽することにより、上述のような発熱を伴う異常時に、熔解した端子台の樹脂が他の機器に付着して損傷を与えること（副次的な被害をもたらすこと）を防止している。
【特許文献１】特開平８−１２８６７８号公報
【発明の開示】
【発明が解決しようとする課題】
【０００４】
しかしながら、上記端子台付き変圧器を箱状のカバーによって覆ってしまうと、変圧器等で生じる熱がカバー内で籠もってしまい、上述のような異常事態を招き易くなる虞がある。そこで、特許文献１では、箱状のカバーの上部（天板と側壁との間）に放熱用の開口を設けている。しかし、カバー上部に開口を形成すると、室外機のケーシング上部に設けられた空気流通口から吹き込んだ雨水が浸入する虞があり、その開口面積を大きくすることが難しい。そのため、比較的容量の大きな変圧器をスイッチボックス内に設ける場合、このような開口では十分な放熱効果が期待できないという問題があった。
【０００５】
本発明は、かかる点に鑑みてなされたものであり、その目的とするところは、端子台付き変圧器を備えた電装品ユニットにおいて、カバー外部への放熱機能の向上を図ると共に、端子台付き変圧器の発熱を伴う異常時に副次的な被害を防止することにある。
【課題を解決するための手段】
【０００６】
本発明は、上部に空気流通口（14）が形成された冷凍装置（1）の室外機（2）のケーシング（10）内に設けられ、箱状のカバー（21）と、前記カバー（21）の内部に設けられ、変圧器（51）に熱可塑性樹脂製の端子台（52）が取り付けられた端子台付き変圧器（50）とを少なくとも備えた室外機の電装品ユニットであって、前記カバー（21）の下面（23）には放熱用の開口（27）が形成される一方、前記開口（27）の上方に位置して前記端子台（52）の下方を覆う壁部材（70）が設けられている。
【０００７】
本発明では、電装品ユニット（20）には、端子台（52）の下方を覆う壁部材（70）が設けられている。そのため、例えば、端子台付き変圧器（50）に発熱を伴う不具合が生じて端子台（52）の樹脂が熔解した場合であっても、熔解した樹脂は壁部材（70）によって受け止められる。また、カバー（21）の下面（23）には放熱用の開口（27）が形成されている。そのため、端子台付き変圧器（50）から生じた熱は、該開口（27）を介してカバー（21）の外部に排出される。
【０００８】
第２の発明は、第１の発明において、前記壁部材（70）は、前記端子台（52）の下方において水平方向に延び、平面視において前記端子台（52）よりも大きい金属製の板状片（71）によって形成されている。
【０００９】
第２の発明では、端子台付き変圧器（50）に発熱を伴う不具合が生じて端子台（52）の樹脂が熔解した場合、熔解した樹脂は板状片（71）によって受け止められることとなる。
【００１０】
第３の発明は、第２の発明において、前記変圧器（51）には、前記端子台（52）が取り付けられると共に、前記変圧器（51）と前記端子台（52）との間にあって前記変圧器（51）と前記端子台（52）との間に隙間（57）を形成する隔壁（56）が取り付けられている。
【００１１】
第３の発明では、端子台（52）は隔壁（56）によって変圧器（51）に固定される。その際、変圧器（51）と端子台（52）との間には、隔壁（56）によって隙間（57）が形成される。これにより、端子台付き変圧器（50）を、変圧器（51）から端子台（52）へ熱を伝えにくい構成とすることができる。
【００１２】
第４の発明は、第３の発明において、前記板状片（71）は、前記隔壁（56）に設けられている。
【００１３】
第４の発明では、板状片（71）を変圧器（51）に取り付ける際に、端子台（52）を変圧器（51）に取り付けるための隔壁（56）を利用することで、その取付構造が容易に構成される。
【００１４】
第５の発明は、第４の発明において、前記隔壁（56）は板金によって形成され、前記板状片（71）は、前記板金の一部を屈曲させることにより形成される。
【００１５】
第５の発明では、隔壁（56）と壁部材（70）としての板状片（71）とが一体形成されている。
【発明の効果】
【００１６】
以上のように、本発明によれば、電装品ユニット（20）には、端子台（52）の下方を覆う壁部材（70）が設けられている。そのため、例えば、端子台付き変圧器（50）に発熱を伴う不具合が生じて端子台（52）の樹脂が熔解した場合であっても、熔解した樹脂を壁部材（70）によって受け止めて、それ以上の落下を防止することができる。これにより、熔解した樹脂が端子台（52）の下方に配置された機器に付着して該機器に損傷を与えるといった副次的な被害を防止することができる。
【００１７】
また、上記電装品ユニット（20）では、上記壁部材（70）を設けたことにより、熔解した樹脂の落下の心配がないため、カバー（21）の下面（23）に放熱用の開口（27）を設けることができる。
【００１８】
なお、ここで、本発明に係る室外機（2）のケーシング（10）の上部には、空気流通口（14）が形成されている。そのため、ケーシング（10）の内部に雨水が浸入することがあり、電装品ユニット（20）のカバー（21）にも雨水が降りかかることがある。
【００１９】
しかしながら、本発明によれば、放熱用の開口（27）をカバー（21）の下面（23）に設けることとしたため、雨水が該放熱用の開口（27）からカバー（21）の内部へ浸入する心配がなく、該開口（27）を大きく形成することができる。これにより、端子台付き変圧器（50）から発生する熱を効率よくカバー（21）の外部へ放出することができる。そのため、電装品ユニット（20）に容量の大きな端子台付き変圧器（50）を組み込んだ場合であっても、十分にカバー（21）の内部で生じた熱を外部へ排出することができる。
【００２０】
また、第２の発明によれば、壁部材（70）を板状片（71）によって簡単に構成することができる。
【００２１】
また、第３の発明によれば、端子台付き変圧器（50）を、変圧器（51）から端子台（52）へ熱を伝えにくい構成とすることができる。従って、第３の発明によれば、絶縁不良による短絡等の発熱を伴う変圧器（51）の異常時に、端子台（52）の樹脂の熔解を抑制することができる。
【００２２】
また、第４の発明によれば、板状片（71）を変圧器（51）に取り付ける際に、端子台（52）を変圧器（51）に取り付けるための隔壁（56）を利用することにより、その取付構造を容易に構成することができる。
【００２３】
また、第５の発明によれば、隔壁（56）と壁部材（70）としての板状片（71）とを容易に一体形成することができる。また、このように構成することで、端子台（52）、隔壁（56）及び板状片（71）を変圧器（51）に取り付ける際の作業を短縮することができ、これらを容易に変圧器（51）に取り付けることができる。さらに、隔壁（56）及び板状片（71）を一部を屈曲させた板金によって形成することにより、端子台（52）の下方及び側方を該板金によって覆うことができる。そのため、隔壁（56）及び板状片（71）に、例えば、変圧器（51）が絶縁不良等により発火した場合に、端子台（52）への引火を防止する防火壁としての機能をもたせることができる。
【発明を実施するための最良の形態】
【００２４】
以下、本発明の実施形態を図面に基づいて詳細に説明する。
【００２５】
本実施形態は、本発明に係る電装品ユニットを備えた冷凍装置の一例として、空気調和装置（1）について説明する。
【００２６】
〈全体構成〉
図１に示すように、上記空気調和装置（1）は、室外機（2）と室内機（3）とを備えている。室外機（2）には、圧縮機（4）、室外熱交換器（5）、膨張弁（6）、四路切換弁（7）及び室外ファン（8）が設けられている。室内機（3）には、室内ファン（31）及び室内熱交換器（32）が設けられている。
【００２７】
上記室外機（2）において、圧縮機（4）の吐出側は、四路切換弁（7）の第１ポート（P1）に接続されている。圧縮機（4）の吸入側は、四路切換弁（7）の第３ポート（P3）に接続されている。
【００２８】
室外熱交換器（5）の一端は、四路切換弁（7）の第４ポート（P4）に接続されている。室外熱交換器（5）の他端は、液側閉鎖弁（9a）に接続されている。
【００２９】
上記室外ファン（8）は、室外熱交換器（5）の近傍に設けられている。この室外熱交換器（5）では、室外ファン（8）によって送られる室外空気と室外熱交換器（5）内を流通する冷媒との間で熱交換が行われる。室外熱交換器（5）と液側閉鎖弁（9a）との間には、開度可変の膨張弁（6）が設けられている。また、四路切換弁（7）の第２ポート（P2）はガス側閉鎖弁（9b）に接続されている。
【００３０】
上記四路切換弁（7）は、第１ポート（P1）と第２ポート（P2）とが互いに連通し且つ第３ポート（P3）と第４ポート（P4）とが互いに連通する第１状態（図１に実線で示す状態）と、第１ポート（P1）と第４ポート（P4）とが互いに連通し且つ第２ポート（P2）と第３ポート（P3）とが互いに連通する第２状態（図１に破線で示す状態）とが切り換え可能になっている。
【００３１】
この空気調和装置（1）では、四路切換弁（7）が第１状態の場合、暖房運転が行われ、四路切換弁（7）が第２状態の場合、冷房運転が行われる。暖房運転では、図１に示す冷媒回路において、室外熱交換器（5）が蒸発器として機能し且つ室内熱交換器（32）が凝縮器として機能する蒸気圧縮式冷凍サイクルが行われる。一方、冷房運転では、図１に示す冷媒回路において、室外熱交換器（5）が凝縮器として機能し且つ室内熱交換器（32）が蒸発器として機能する蒸気圧縮式冷凍サイクルが行われる。
【００３２】
〈室外機の構成〉
図２に示すように、上記室外機（2）は、ケーシング（10）を備えている。図示を省略するが、上述の圧縮機（4）、室外熱交換器（5）、膨張弁（6）、四路切換弁（7）及び室外ファン（8）は、該ケーシング（10）内に配置されている。
【００３３】
ケーシング（10）は、天板（11）、底板（図示省略）、前板（12）、後板（図示省略）及び左右一対の側板（13,13）によって箱状に形成されている。ケーシング（10）には外部の空気を吸い込むための吸込口（図示省略）と、内部の空気を吹き出すための吹出口（14）とが形成されている。吸込口（図示省略）は、室外熱交換器（5）と対向するように形成されている。一方、吹出口（14）は、ケーシング（10）内の上部に設けられた室外ファン（8）と対向する天板（11）に形成されている。なお、室外ファン（8）は、羽根車（8a）と該羽根車（8a）を周方向に取り囲むベルマウス（8b）とによって構成されている。吹出口（14）は、天板（11）の膨出部（11a）に複数形成されている。本実施形態では、天板の膨出部（11a）がメッシュ状に形成され、上記複数の吹出口（14）は、メッシュ状に形成された膨出部（11a）の複数の隙間によって形成されている。
【００３４】
このような構成により、ケーシング（10）内では、室外ファン（8）によって吸込口（図示省略）から吸い込まれた空気は、室外熱交換器（5）（図１参照）において冷媒と熱交換した後、吹出口（14）から吹き出される。
【００３５】
また、ケーシング（10）の内部には、第１電装品ユニット（20）及び第２電装品ユニット（29）が配設されている。第１電装品ユニット（20）及び第２電装品ユニット（29）は各種機器の駆動制御をするための種々の電装品を備えている。具体的には、本実施形態では、第１電装品ユニット（20）は、後述する端子台付き変圧器（50）と、端子台付き変圧器（50）を覆う箱状の第１スイッチボックス（21）とを備えている。一方、第２電装品ユニット（29）は、圧縮機（4）等の内部機器を制御するためのプリント基板等の電子機器（図示省略）と、該電子機器を覆う箱状の第２スイッチボックス（30）とを備えている。なお、本発明に係る室外機の電装品ユニットは、本実施形態では第１電装品ユニット（20）によって構成されている。
【００３６】
以下、第１電装品ユニット（20）を構成する第１スイッチボックス（21）及び端子台付き変圧器（50）について詳述する。
【００３７】
図２に示すように、第１スイッチボックス（21）は、ケーシング（10）の左右一対の側板（13,13）に掛け渡されたステー（15）に取り付けられた取付板（16）に固定されている。
【００３８】
図３は、第１スイッチボックス（21）の前板（24）（図２参照）を取り外した際の第１電装品ユニット（20）の正面図であり、図４は、第１電装品ユニット（20）の側面断面図である。
【００３９】
図３及び図４に示すように、第１スイッチボックス（21）は、板金からなる天板（22）、底板（23）、前板（24）、後板（25）及び左右一対の側板（26）によって箱状に構成されている。
【００４０】
具体的には、図４に示すように、前板（24）、後板（25）及び左右一対の側板（26）によって筒状体が形成されている。そして、該筒状体の上部を天板（22）が覆っている。天板（22）は、外縁部が下方に屈曲した板状体によって構成され、前板（24）、後板（25）及び左右一対の側板（26）の上端部に覆いかぶさるように配置されている。これにより、上方からの雨水の浸入を防止することができる。一方、筒状体の下部には底板（23）が設けられている。底板（23）は、筒状体の下部開口よりも小さく形成されている。具体的には、底板（23）は、筒状体の下部開口の略半分程度の大きさに形成され、筒状体の開口の後板（25）側の端部から該開口（27）の中央部までを覆っている。そのため、筒状体の下部開口の中央部から前板（24）側の端部までの部分は開放されている。つまり、第１スイッチボックス（21）の底板（23）には、筒状体の下部開口の略半分程度の大きさの開口（27）が形成されている。
【００４１】
また、第１スイッチボックス（21）内には、端子台付き変圧器（50）を取り付けるための取付板（28）が取り付けられている。取付板（28）は、後板（25）と同等の大きさに形成され、後板（25）に対して平行に配置されている。取付板（28）の上部には端子台付き変圧器（50）が取り付けられている。
【００４２】
上記端子台付き変圧器（50）は、室内機（3）に設けられた室内側電装ユニット（図示省略）及び上記第２電装品ユニット（29）の各電子機器（図示省略）に接続されており、電源電圧を適宜変化させる。
【００４３】
端子台付き変圧器（50）は、変圧器本体（51）と、変圧器本体（51）に取り付けられた端子台（52）とから構成されている。
【００４４】
図５は端子台付き変圧器（50）の斜視図、図６は端子台付き変圧器（50）の正面図、図７は端子台付き変圧器（50）の平面図である。図７に示すように、変圧器本体（51）は、コイルが巻き付けられたボビン（53）と、ボビン（53）の内側の中空部分に設けられた鉄心（54）とを備えている。これらボビン（53）と鉄心（54）とは、鉄心（54）に取り付けられた一対の固定部材（55）を介して取付板（28）に固定されている。
【００４５】
また、鉄心（54）の中心に対して固定部材（55）が取り付けられた側と反対側には、不燃素材によって形成された隔壁（56）が取り付けられている。隔壁（56）は、コイルが巻き付けられたボビン（53）の外周を隙間（57）を空けて取り囲むように形成されている。具体的には、隔壁（56）は、平面視においてコの字状に形成された本体部（56a）と、平面視において該本体部（56a）の両端部から鉄心（54）に沿って延びる平板部（56b）とからなる。図５及び図６に示すように、本体部（56a）の２つの屈曲部のうちの一方側の屈曲部には、変圧器本体（51）内のコイルに接続されるハーネスを挿通させるための切り欠きが形成されている。
【００４６】
図７に示すように、隔壁（56）は、平板部（56b）を鉄心（54）にねじで締結することにより、鉄心（54）に固定されている。そして、隔壁（56）の本体部（56a）には、前述の端子台（52）が取り付けられている。このような構成により、隔壁（56）は、端子台（52）を変圧器本体（51）に取り付けると共に、変圧器本体（51）と端子台（52）との間に隙間（57）を形成する。このような隔壁（56）により、端子台（52）は、変圧器本体（51）の稼働に伴って発熱するコイルが巻き付けられたボビン（53）から隙間（57）を空けて配置されるため、コイルからの熱が端子台（52）に伝わりにくくすることができる。
【００４７】
端子台（52）は、樹脂製の本体（61）と、導電板（62）と、端子ねじ（63）とを備えている。本体（61）は、上記隔壁（56）に沿って平板状に延びる基台部（61a）と、基台部（61a）に沿って基台部（61a）の側方に複数の区画（64）（図５及び図６参照）を形成する縦区画壁（61b）及び複数の横区画壁（61c）と、複数の区画（64）内において端子ねじ（63）を支持する台座部（61d）とによって構成されている。本実施形態では、基台部（61a）と、縦区画壁（61b）及び複数の横区画壁（61c）と、台座部（61d）とは熱可塑性樹脂によって一体成型されている。
【００４８】
導電板（62）は、複数の区画（64）のうち、縦区画壁（61b）を挟んで隣り合う一対の区画（64,64）ごとに設けられている。導電板（62）は、縦区画壁（61b）を貫通して縦区画壁（61b）を挟んで隣り合う一対の区画（64,64）内の各台座部（61d,61d）に沿うように設けられている。一方、端子ねじ（63）は、区画壁（61b,61c）によって形成される複数の区画（64）内に１つずつ設けられ、導電板（62）に支持されている。なお、符号65は、端子ねじ（63）を締めて電線を接続する際に、電線を導電板（62）に押圧するための押圧部材である。
【００４９】
ところで、端子台付き変圧器（50）では、例えば、変圧器本体（51）の絶縁不良による短絡や、端子台（52）の端子間の接続不良等の発熱を伴う不具合が生じることがある。本実施形態のような端子台（52）の本体（61）が熱可塑性樹脂によって形成されている端子台付き変圧器（50）を使用している場合、上記のような異常時に、端子台（52）の本体（61）が変圧器本体（51）又は端子台（52）において発生した熱によって熔解してしまう虞がある。
【００５０】
そこで、図５〜図７に示すように、第１電装品ユニット（20）には、このような異常時に熔解してしまった樹脂の落下を防止するための壁部材（70）が設けられている。本実施形態では、壁部材（70）は、隔壁（56）に設けられた金属製の板状片（71）によって形成されている。
【００５１】
具体的には、板状片（71）は、図５に示すように、隔壁（56）を形成する板金の一部を屈曲させることにより形成されている。つまり、板状片（71）は隔壁（56）と一体形成され、隔壁（56）の下端部から水平方向に向かって延びるように形成されている。また、板状片（71）は、平面視において端子台（52）よりも大きくなるように形成されている。具体的には、図７に示すような平面視において、板状片（71）は、その外縁が端子台（52）の外縁よりも外側に位置するように形成されている。つまり、板状片（71）によって端子台（52）の下方が覆われている。
【００５２】
図４に示すように、上記のような壁部材（70）が設けられ、変圧器本体（51）や端子台（52）の発熱を伴う異常時に端子台（52）の樹脂が熔解してしまっても、熔解した樹脂を壁部材（70）によって受け止めることができるため、第１スイッチボックス（21）の底板（23）には上述のような大きな開口（27）が形成されている。また、本実施形態では、該開口（27）は端子台（52）の真下に形成されている。具体的には、開口（27）は、平面視において開口（27）の少なくとも一部が端子台（52）と重なるように形成されている。そして、本実施形態では、開口（27）は、底板（23）の広い範囲に亘って形成されている。なお、開口（27）の大きさ及び形状は本実施形態のものに限られず、第１スイッチボックス（21）内の熱が好適に排出されるようなものであればいかなる大きさ及び形状であってもよい。
【００５３】
以上のように、第１スイッチボックス（21）は、該開口（27）を介して内外を空気が円滑に流通するように構成されている。そのため、端子台付き変圧器（50）の稼働によって第１スイッチボックス（21）内で生じた熱は速やかに外部へ放出される。また、端子台（52）の真下に上記開口（27）が形成されているため、該開口（27）から内部へ流入した空気はいち早く端子台（52）と接触し、端子台（52）は該空気によって冷却される。
【００５４】
一方で、変圧器本体（51）の絶縁不良による短絡や、端子台（52）の端子間の接続不良等の発熱を伴う不具合が生じ、端子台（52）の樹脂が熔解してしまった場合、熔解した樹脂は板状片（71）に受け止められる。そのため、熔解した樹脂のそれ以上の落下を防止することができる。
【００５５】
−実施形態の効果−
以上より、本実施形態では、第１電装品ユニット（20）には、端子台（52）の下方を覆う壁部材（70）が設けられている。そのため、例えば、端子台付き変圧器（50）に発熱を伴う不具合が生じて端子台（52）の樹脂が熔解した場合であっても、熔解した樹脂を壁部材（70）によって受け止めることができ、熔解した樹脂のそれ以上の落下を防止することができる。これにより、熔解した樹脂が端子台（52）の下方に配置された機器に付着して該機器に損傷を与えるといった副次的な被害を防止することができる。
【００５６】
また、上記壁部材（70）を設けたことにより、熔解した樹脂の落下の心配がないため、放熱用の開口（27）を第１スイッチボックス（21）の下面を形成する底板（23）に設けることができる。
【００５７】
ところで、本実施形態の室外機（2）の吹出口（14）は、ケーシング（10）の上部（本実施形態では天板（11））に形成されている。そのため、ケーシング（10）の内部に雨水が浸入することがあり、第１スイッチボックス（21）にも雨水が降りかかる虞がある。しかしながら、上述のように本実施形態では、放熱用の開口（27）を第１スイッチボックス（21）の底板（23）に設けることとしたため、雨水が該放熱用の開口（27）から第１スイッチボックス（21）の内部へ浸入する心配がなく、該開口（27）を大きく形成することができる。これにより、端子台付き変圧器（50）のコイルから発生する熱を効率よく第１スイッチボックス（21）の外部へ放出することができる。そのため、第１電装品ユニット（20）に容量の大きな端子台付き変圧器（50）を組み込んだ場合であっても、十分に第１スイッチボックス（21）の内部で生じた熱を外部へ排出することができる。
【００５８】
また、本実施形態では、上記開口（27）は、端子台（52）の真下に形成されている。そのため、端子台（52）は、該開口（27）から第１スイッチボックス（21）の内部に流入した外部の空気によっていち早く冷却されることとなる。従って、本実施形態によれば、絶縁不良による短絡等の発熱を伴う変圧器本体（51）の異常時に、端子台（52）の樹脂の熔解を抑制することができる。
【００５９】
さらに、本実施形態によれば、壁部材（70）を金属製の板状片（71）によって構成することにより、壁部材（70）を容易に構成することができる。
【００６０】
また、本実施形態では、隔壁（56）によって変圧器本体（51）と端子台（52）とを隔てると共に、両者の間に隙間（57）を形成することとしている。そのため、本実施形態によれば、端子台付き変圧器（50）を、変圧器本体（51）で生じた熱が端子台（52）に伝わりにくい構成とすることができる。これにより、絶縁不良による短絡等の発熱を伴う変圧器本体（51）の異常時に、端子台（52）の樹脂の熔解を抑制することができる。
【００６１】
さらに、本実施形態では、板状片（71）を、端子台（52）を変圧器本体（51）に取り付けるための隔壁（56）に取り付けることとしている。そのため、板状片（71）を変圧器本体（51）に取り付ける際に、別途取付部材を用いるのではなく、隔壁（56）を利用することでその取付構造を容易に構成することができる。
【００６２】
また、本実施形態では、板状片（71）を、隔壁（56）を形成する板金の一部を屈曲させることにより形成することとしている。これにより、隔壁（56）と壁部材（70）としての板状片（71）とを容易に一体形成することができる。また、このように構成することで、端子台（52）、隔壁（56）及び板状片（71）を変圧器本体（51）に取り付ける際の作業を短縮することができ、これらを容易に変圧器本体（51）に取り付けることができる。さらに、隔壁（56）及び板状片（71）を板金によってこのように形成することにより、例えば、変圧器本体（51）が絶縁不良等により発火した場合に、端子台（52）への引火を防止する防火壁としても構成することができる。
【００６３】
以上のように、本実施形態に係る空気調和装置（1）の室外機（2）によれば、第１電装品ユニット（20）の端子台付き変圧器（50）の発熱を伴う異常時に、損傷箇所を該第１電装品ユニット（20）内で食い止めることができる。これにより、異常時の被害の拡大を防止することができる。
【００６４】
《変形例》
上記実施形態では、壁部材（70）は、図５に示すように、凹凸のない扁平な板状片（71）によって構成されていた。しかし、壁部材（70）は、上記実施形態のものに限られない。例えば、図８に示すように、上記実施形態における板状片（71）の外縁部を上方に向かって屈曲させた上端部が開口した箱形状に形成されていてもよい。このような形態によれば、熔解した樹脂を壁部材（70）によって確実に受け止めることができる。
【００６５】
また、壁部材（70）は、熔解した樹脂を受け止めてそれ以上の落下を防止するものであれば板状片でなくてもよく、厚みのある部材によって構成されていてもよい。
【００６６】
さらに、壁部材（70）は、上記実施形態のように、隔壁（56）と一体に形成されるのではなく、別体に形成されていてもよい。
【００６７】
また、壁部材（70）は、上記実施形態のように、隔壁（56）に取り付けられるのではなく、取付部材を介して変圧器本体（51）に直接取り付けられていてもよい。また、壁部材（70）は、第１スイッチボックス（21）の内壁面に取り付けられていてもよい。
【００６８】
《その他の実施形態》
上記実施形態は、以下のように構成してもよい。
【００６９】
上記実施形態では、本発明に係る電装品ユニット（第１電装品ユニット（20））を、第１スイッチボックス（21）及び該第１スイッチボックス（21）内に設けられた端子台付き変圧器（50）とによって構成することとしていた。しかし、第１電装品ユニット（20）は、これら以外の電装品を備えたものであってもよい。また、第１スイッチボックス（21）内に、第２スイッチボックス（30）内に収容された電装品を収容して、２つの電装品ユニット（20,29）を１つにまとめたものであってもよい。
【００７０】
また、変圧器本体（51）に取り付けられる端子台（52）は、上記実施形態のものに限られない。端子台（52）の少なくとも一部が熱可塑性樹脂によって構成されているものであればいかなるものであってもよい。また、端子台（52）の配置は上記実施形態のものに限られず、例えば、上下左右方向を逆転させて取り付けることとしてもよい。
【００７１】
なお、以上の実施形態は、本質的に好ましい例示であって、本発明、その適用物、あるいはその用途の範囲を制限することを意図するものではない。
【産業上の利用可能性】
【００７２】
以上説明したように、本発明は、冷凍装置の室外機内に設けられた電装品ユニットに適し、特に、変圧器に熱可塑性樹脂を用いた端子台が取り付けられた端子台付き変圧器を有する電装品ユニットに有用である。
【図面の簡単な説明】
【００７３】
【図１】本発明の実施形態に係る空気調和装置の構成を示す配管系統図である。
【図２】室外機のケーシングの一部を切り欠いて示す正面図である。
【図３】第１スイッチボックスの前板を取り外した際の第１電装品ユニットの正面図である。
【図４】第１電装品ユニットの側面断面図である。
【図５】端子台付き変圧器の斜視図である。
【図６】端子台付き変圧器の正面図である。
【図７】端子台付き変圧器の平面図である。
【図８】変形例に係る壁部材の斜視図である。
【符号の説明】
【００７４】
１      空気調和装置（冷凍装置）
２      室外機
１０      ケーシング
１４      吹出口（空気流通口）
２０      第１電装品ユニット（電装品ユニット）
２１      第１スイッチボックス（カバー）
２３      底板（下面）
２７      開口
５０      端子台付き変圧器
５１      変圧器本体（変圧器）
５２      端子台
５６      隔壁
５７      隙間
７０      壁部材
７１      板状片
【図１】
2009180388.tif 000003
【図２】
2009180388.tif 000004
【図３】
2009180388.tif 000005
【図４】
2009180388.tif 000006
【図５】
2009180388.tif 000007
【図６】
2009180388.tif 000008
【図７】
2009180388.tif 000009
【図８】
2009180388.tif 000010